(57)【要約】【課題】電子画面に複数のグラフを表示し、グラフを操作可能とした情報処理装置では、複数のグラフを容易に変更できなかった。【解決手段】情報処理装置の電子画面上のグラフリンク領域（５６ａ、５６ｂ、５６ｃ）にグラフ連動ボタンを設け、グラフ連動ボタンと指定時間領域（５６ａ、５３ｂ、５３ｃ）の情報と関連付ける。グラフ連動ボタンが有効である指定時間領域の情報が変更された場合に、グラフ連動ボタンが有効である他のグラフの指定時間領域の情報も同時に変更するようにした。【選択図】図５
2008282221.tif 000002
【特許請求の範囲】
【請求項１】
表示部を備えたグラフ表示装置の制御部に、
複数のグラフと任意に選択したグラフを同時的に切換え可能とするグラフ連動ボタンとを表示部に表示させる手段を機能させることを特徴とするプログラム。
【請求項２】
表示部を備えたグラフ表示装置の制御部に、
グラフを作成するグラフ作成手段と、
前記グラフの作成条件を指定する条件指定手段と、
前記条件指定手段を操作可能とし、複数のグラフの作成条件を同時的に変更可能とするグラフ操作手段と、
を機能させることを特徴とするプログラム。
【請求項３】
大規模管理システムに備えられ、多くの設備の運転状況をデータとして保存し、過去及び現在の運転状況を適時表示可能とする設備監視装置において、
設置される設備機器の様々な状況を示すデータが保存されるデータベースと、
設備機器の状況をＧＵＩ（Graphical User Interface）を用いて表示し操作可能とする情報処理装置と、
を備え、
前記情報処理装置の制御部は、
前記データベースにアクセスし、前記設備機器の状況が記された状況データを取得し、取得した前記状況データをグラフとして作成すると共に、
作成されたグラフを、所望のグラフに変更可能とするグラフ変更手段と、
複数のグラフのグラフ変更手段を同時的に機能させる複数グラフ操作手段と、
を有することを特徴とする設備監視装置。
【請求項４】
請求項３記載の情報処理装置であって、
前記情報処理装置の制御部は、
前記グラフ変更手段によって所望のグラフに変更された場合に、
前記複数グラフ操作手段によって同時的に複数のグラフを変更する
ことを特徴とする情報処理装置。
【発明の詳細な説明】
【技術分野】
【０００１】
本発明は、大規模管理システムの運転状況を表示する設備監視装置に関するものである。また、設備監視装置に用いられる情報処理装置及びプログラムに関する。
【背景技術】
【０００２】
従来、工場やビルなどに用いられる大規模空調システムでは、空調に多くのエネルギーが使用されており、使用されるエネルギー量の削減に取組んでいる。そのエネルギー量の削減方法の一例としては、ビルマネージメントシステム（ＢＥＭＳ）と銘打って、ビル全体のエネルギーの流れを把握し、効率良くエネルギーを使用することによって、エネルギー量の削減を可能とする方法が知られている。そして、ビルエネルギーマネージメントシステムの手法として、水冷や電気などを利用する空調機器（エアコン）で使用されるエネルギーを効率化し、エネルギー量の削減を行なっている。ビル以外の工場などについても、ビルと同様に空調機器の効率化を図る為、多くの手法が取られている。
【０００３】
空調機器の効率の良い運転には、空調エリア内の快適性を保ちつつエネルギーを削減する為に、温度や湿度などの様々な要素を勘案する必要がある。この様々な要素をふまえた上での最も良い設定を模索することが、エネルギー削減に対する大きな課題となっている。これら、前述した課題を解決する為、様々な発明や考案がなされており、その一例としては、特許文献１が挙げられる。
【０００４】
特許文献１には、コンピュータを用いて、設備の運転状況をデータとして保存し、過去及び現在の運転状況を表示画面に表示することで、効率良く空気調整を行なえる空調システムの表示装置が開示されている。開示されている空調システムの詳細は、表示画面に運転状況を示すグラフを複数表示し、グラフによって得られる情報を加味して、空調機器の設定を行なえる様にしている。
【０００５】
特許文献１に記載された空調システムの表示装置や同様のシステムでは、表示装置に表示されるグラフを作成し操作する方法として、ＧＵＩ（Graphical User Interface）を用いることが多い。ここでＧＵＩとは、単に使用者に画面を表示する表示方法を指すだけではなく、表示された画面を見て入力手段を操作する操作方法を指し、更に操作方法を実現する機能の意味も含む。このＧＵＩを用いたシステムの一例としては、特許文献２が挙げられる。
【０００６】
特許文献２にはＧＵＩを備えた装置が開示されており、前記装置を含むシステムから取得したデータを利用して複数のグラフやランチャーを構築し、更に操作可能としている。
【０００７】
そして、このようなＧＵＩを使用して複数のグラフを操作する空調システムでは、少しでも効率よく空調機器を動作させる為に、複数のグラフの対比・検討と、多くのグラフ変更操作とが行なわれている。
【０００８】
【特許文献１】特開２００６−２９２２７９号公報
【特許文献２】特開２００５−１６００６９号公報
【発明の開示】
【発明が解決しようとする課題】
【０００９】
特許文献１に記載された空調システムの表示装置の様に、複数のグラフを表示し、効率良く空気調整を行なえることは、エネルギーを削減する方法として非常に有効である。
【００１０】
しかしながら、引用文献１に記載された画面の表示例は、一つの表示期間で画面に表示される複数のグラフを表示しているに過ぎない。また、グラフ毎に異なった表示期間で表示することができない。
【００１１】
グラフごとに表示期間を変更可能とした場合には、グラフ毎に表示期間を操作する必要があり、グラフを変更する操作量（回数）が増え、操作者に大変な負担を強いることになる。即ち、引用文献１は、グラフ毎に異なる表示期間のグラフを対比して表示する必然性及び手段について考慮されていない。
【００１２】
そこで、本発明の目的は、効率良く空調システムを運用させる為に、電子画面に表示されるグラフを容易に所望のグラフに変更できる設備監視装置、情報処理装置及びプログラムを提供することにある。
【００１３】
別の本発明の目的は、情報処理装置に表示された複数のグラフを、容易な操作で変更できる設備監視装置、情報処理装置及びプログラムを提供することにある。
【００１４】
更に別の本発明の目的は、表示装置に表示される複数のグラフから任意のグラフを選択し、関連させ、グラフの指定時間を一括して操作可能とする設備監視装置、情報処理装置及びプログラムを提供することにある。
【００１５】
更に別の本発明の目的は、表示装置に表示される複数のグラフから任意のグラフを選択し、関連させ、操作することで、任意のグラフと別の任意のグラフとを比較することを容易とする設備監視装置、情報処理装置及びプログラムを提供することにある。
【００１６】
更に別の本発明の目的は、表示装置に表示される複数のグラフから任意のグラフを選択し、関連させ、操作することで、任意のグラフと理想のグラフとを比較することを容易とする設備監視装置、情報処理装置及びプログラムを提供することにある。
【課題を解決するための手段】
【００１７】
本願発明のプログラムは、表示部を備えたグラフ表示装置の制御部に、複数のグラフと任意に選択したグラフを同時的に切換え可能とするグラフ連動ボタンとを表示部に表示させる手段を機能させることを特徴とする。
【００１８】
本願発明のプログラムは、表示部を備えたグラフ表示装置の制御部に、グラフを作成するグラフ作成手段と、前記グラフの作成条件を指定する条件指定手段と、前記条件指定手段を操作可能とし、複数のグラフの作成条件を同時的に変更可能とするグラフ操作手段と、を機能させることを特徴とするプログラム。
【００１９】
本願発明の設備監視装置は、大規模管理システムに備えられ、多くの設備の運転状況をデータとして保存し、過去及び現在の運転状況を適時表示可能とする設備監視装置において、  設置される設備機器の様々な状況を示すデータが保存されるデータベースと、設備機器の状況をＧＵＩ（Graphical User Interface）を用いて表示し操作可能とする情報処理装置と、を備え、前記情報処理装置の制御部は、前記データベースにアクセスし、前記設備機器の状況が記された状況データを取得し、取得した前記状況データをグラフとして作成すると共に、作成されたグラフを、所望のグラフに変更可能とするグラフ変更手段と、複数のグラフのグラフ変更手段を同時的に機能させる複数グラフ操作手段と、を有することを特徴とする。
【００２０】
本願発明の情報処理装置は、上記設備監視装置で使用される情報処理装置であって、前記情報処理装置の制御部は、前記グラフ変更手段によって所望のグラフに変更された場合に、前記複数グラフ操作手段によって同時的に複数のグラフを変更することを特徴とする。
【発明の効果】
【００２１】
本発明によれば、電子画面に表示されるグラフを容易に所望のグラフに変更できる設備監視装置、情報処理装置及びプログラムを提供できる。
【発明を実施するための最良の形態】
【００２２】
本発明の実施の一形態を図１ないし図８に基づいて説明する。
【００２３】
図１は本発明の実施の一形態を示す概略図である。図１に示す通り、本実施の一形態の大規模空調システム１の構成は、設備監視装置２とデータベースシステム５００とがネットワーク７００によって接続されている。また、データベースシステム５００には、通信線網７５０を介して、多くの設備機器（５１０〜５ｎｎ）が接続されている。
【００２４】
設備機器（５１０〜５ｎｎ）は、ビルや工場などに点在する各種設備であって、説明が容易なように設備１〜設備３に分けている。この分け方には特に意味は無く、各設備が直接データベースシステム５００と繋がっていると考えても問題ない。
【００２５】
設備監視装置２は、表示装置３００と情報処理装置２００で構成されている。表示装置３００は、情報処理装置２００と接続されており、様々な画面を表示可能としている。情報処理装置２００は、一般的なコンピュータであって、様々な情報処理を行える。また、ネットワーク７００を介して、データベースシステム５００や、他にも様々な情報処理装置（図示せず）と通信可能である。詳しくは図２を用いて後述する。
【００２６】
データベースシステム５００は、情報処理機能と情報保持機能とを備えており、多くの情報を保存できる。またネットワーク７００を介して、情報処理端末２００や、他の情報処理端末（図示せず）とも通信可能である。そして、インタフェース機能を備えており、通信線網７５０を介して各種設備と通信可能である。インタフェース機能とは、各種設備ごとに異なっている信号の電圧や周波数等を情報処理器機が読込めるよう変換する機能である。通信線網７５０を介して、このインタフェース機能を用いて、各種設備から送られてくる信号を情報処理器機が読込めるよう変換したり、各種設備に情報を読みに行き情報処理器機が読込める情報に変換したりする。つまり、所謂データベースサーバやネットワークＨＤＤにインタフェース機能を付加したシステムである。
【００２７】
設備機器（５１０〜５ｎｎ）は、例示として多数記載してある。よって、数台を説明し、全台の説明は省略する。空調機器５１１は会議室などに設置される冷暖房機器である。空調機器５１１は、リモートコントローラ（図示せず）などにより、温度設定等を可能とする。そして、現在の機器状態や周辺環境などを自らが備えた計測器でデータ化し、通信線網７５０を介してデータベースシステム５００に送信する。室温計測器５１２は、室温を計測する。そして、現在の周辺温度などをデータ化し、通信線網７５０を介してデータベースシステム５００に送信する。照明器具５２４は、廊下などのフロア用ライトであってスイッチにより消灯・点灯する。そして、現在の状態などをデータ化し、通信線網７５０を介してデータベースシステム５００に送信する。他の設備機器もデータベースシステム５００に現在の状況や周辺データ（以下、状況データと略す）を送信する。上記説明では、各種設備機器がデータを送信するとしたが、状況データを内蔵する記憶部に記憶しておき、データベースシステム５００が記憶したデータを取得するのを待つ様にしても良い。
【００２８】
図２は、実施の一形態において用いられる設備監視装置２のシステム構成を示すブロック図である。設備監視装置２は前述の通り、一般的なコンピュータである。つまり、各種情報処理を行う制御部２１０、情報を一時記憶するＲＡＭ２２０、基本制御プログラムが格納されているＲＯＭ２３０、使用者によって情報を入力される入力部２４０、受信したデータ等を出力する出力部２５０、記憶装置としてＨＤＤ２６０、ネットワーク７００を介しデータベースシステム５００など外部装置との通信を行うためのネットワーク制御部２７０がバスによって接続されている。
【００２９】
入力部２４０には、キーボードやマウスが接続され、制御部２１０に対して、使用者の操作を入力する。出力部２５０には、表示装置３００やプリンタ（図示せず）が接続され、制御部２１０からの出力信号を外部に出力する。本実施の一形態では表示装置３００が接続され、表示装置３００の画面を利用し、入力部２４０に接続されたマウスやキーボードを操作する。また、スピーカなども出力部２５０に接続される。ＨＤＤ２６０には、様々なプログラムやデータが記憶されている。また、ＯＳ（Operating System）も格納されている。制御部２１０はこのＯＳの指示に基づいて動作する。ＨＤＤ２６０には、ＯＳの他にもブラウザやオフィスソフトなどが格納されており、必要に応じてＲＡＭ２２０に展開されて使用される。更に、ネットワーク７００を介して送受信するデータの一時保存や、ファイルの格納なども行なう。
【００３０】
また、ＨＤＤ２６０には、グラフ表示手段、条件指定手段及びグラフ操作手段を機能させる専用プログラムが格納されている。専用プログラムは、制御部２１０などのハードウェアを使用し、グラフ作成機能、条件指定機能、グラフ操作機能を実現し、グラフを作成表示し、更に操作可能とするプログラムである。
【００３１】
図３は、専用プログラムが有するグラフ作成機能を使用し、作成されるグラフの作成例である。
【００３２】
作成例（a）には、グラフ表示領域a０１、グラフ操作領域a０２、グラフリンク領域a０６が構築されている。グラフ操作領域a０２は、日付や月などグラフの一軸（表示例では横軸）を示す指定時間領域a０３、指定時間領域a０３を操作する操作ボタンa０４、a０５によって構成されている。操作ボタンa０４、a０５は、それぞれ指定時間領域a０３のプラス操作とマイナス操作を受け持ち、ユーザがＧＵＩを用いて操作するときに使用する。
【００３３】
作成例（ｂ）及び作成例（ｃ）も作成例（a）のと同様の構成となっている。（a）と（ｂ）及び（ｃ）との異なる点は、グラフ表示領域（a０１、ｂ０１、ｃ０１）に描かれているグラフにある。また、グラフ操作領域（a０２、ｂ０２、ｃ０２）の指定時間領域（a０３、ｂ０３、ｃ０３）が示す時間（日付）が異なる。同じく、グラフリンク領域（a０６、ｂ０６、ｃ０６）が有効と無効とで異なる。グラフ表示領域（a０１、ｂ０１、ｃ０１）に描かれるグラフは、図に示したグラフ以外にも散布図やレーダチャート、円グラフ、面グラフなどが可能である。また３Ｄグラフも可能である。
【００３４】
条件指定機能は、前述のグラフ表示機能と連携して動作し、グラフ操作領域（a０２、ｂ０２、ｃ０２）に示された条件をグラフ表示機能に通知する。グラフ表示機能は、条件指定機能から通知された情報を利用し、グラフを作成する。本実施の一形態では、グラフ操作領域（a０２、ｂ０２、ｃ０２）で指定された時間データを指定する。尚、データベースシステム５００からデータを取得する機能は、グラフ表示機能が行なう。ただし、グラフ表示機能に限定するわけではない。
【００３５】
グラフ操作機能は、後述するメモリテーブルを利用し、前述した条件指定機能を操作する。グラフ操作機能には、グラフリンク領域（a０６、ｂ０６、ｃ０６）の状態が有効／無効を認識する機能が備わっている。更に、条件指定機能のグラフ操作領域（a０２、ｂ０２、ｃ０２）に示される条件を変更する機能が備わっている。同じく、グラフリンク領域が有効であるグラフの作成条件をほぼ同時に変更する機能が備わっている。詳細はメモリテーブルを使用し後述する。
【００３６】
図４は、情報処理装置のＲＡＭ２２０に展開されている記憶内容を模式的に表したメモリテーブルである。メモリテーブルは、グラフＮｏ領域４０１、グラフ横軸情報領域４０２、グラフ縦軸情報領域４０３及びグラフ連動状態領域４０４によって構成されており、必要に応じて拡張される。
【００３７】
グラフＮｏ領域４０１には、グラフ表示機能によってグラフ表示領域に表示されるグラフの番号がナンバリングされて記録される。設備監視装置２の使用者が、所望のグラフ表示数を設定すると、この領域に設定された表示数分の情報が記録される。
【００３８】
グラフ横軸情報領域４０２には、グラフ表示領域に表示されるグラフの横軸データを示す情報が記録される。この情報は、使用者がグラフ操作領域を操作し、設定する。
【００３９】
グラフ縦軸情報領域４０３には、グラフの縦軸データを示す情報が記録される。この情報は、使用者が設定するが、予め決まった情報でも良い。また、この情報を元に、情報処理装置２００は、データベースシステム５００からデータを取得し、グラフを作成する。
【００４０】
グラフ連動状態領域４０４には、グラフリンク領域（a０６、ｂ０６、ｃ０６）の有効／無効の状態が記憶される。この領域情報は、使用者がグラフリンク領域（a０６、ｂ０６、ｃ０６）を操作するごとに、有効と無効が切り替り記録される。このグラフリンク領域を用いてグラフ連動機能を実現する。
【００４１】
本実施の一形態で用いられる専用プログラムは、どの様な形式のプログラムでも良い、例えばC言語等のインタプリタ型言語や、アセンブラ型言語、コンパイラ型でも良い。また、スプリクト言語を用いても良く、機能を実現できればそれで良い。
【００４２】
本実施の一形態のグラフ表示機能と条件指定機能は、多くのアプリケーションソフトで実現されている為、詳細は省く。尚、本一形態では、専用プログラムに、プラグインとしてグラフ作成アプリケーションソフトを導入しても、機能を実現可能としている。
【００４３】
グラフ操作機能は、上記グラフ表示機能と条件指定機能と同様に、プラグインを利用しても、実現可能である。つまり、当発明はＧＵＩを用いて操作するため、例えばC言語を用いて、構築する電子画面上にグラフリンク領域を設け、グラフリンク領域をボタン化し、当該ボタンの入力によって有効と無効のフラグを発生させ、フラグを認識することで、グラフを連動操作可能とすれば良い。
【００４４】
このような構成において、本発明の実施の一形態である大規模空調システム１は、多数の設備からの情報をデータベースシステム５００に格納できる。そして、設備監視装置２は、データベースシステム５００からデータを取得し、表示装置３００の画面にグラフとして表示できる。更に、表示したグラフを操作することにより、電子画面に表示されるグラフを容易に所望のグラフに変更できる設備監視装置、情報処理装置及びプログラムを提供できる。
【００４５】
以下に大規模空調システム１の動作を説明する為、表示画面例とメモリテーブル例を示し、設備監視装置２の操作を説明する。また、情報処理装置２００の動作フローチャートを示し、設備監視装置２の動作を説明する。
【００４６】
図５は、設備監視装置２（表示装置３００）の画面表示例である。表示画面は、情報処理装置２００の制御部２１０が、ＨＤＤ２６０に格納された専用プログラムをＲＡＭ２２０に展開し、展開された専用プログラムに従い動作することで構築される。
【００４７】
詳細には、制御部２１０が、専用プログラムの条件指定機能で指定された、グラフ横軸情報４０２、グラフ縦軸情報４０３をＲＡＭ２２０上に展開されたメモリテーブルから取得する。そして、グラフ横軸情報４０２、グラフ縦軸情報４０３が示す情報をデータベースシステム５００にアクセスし、取得する。そして、グラフ表示機能を用いて、取得したデータからグラフを作成し、更に電子画面として構築する。構築された電子画面は、出力部２５０を介して表示装置３００に送信される。電子画面を受信した表示装置３００は、表示画面に電子画面を表示する。
【００４８】
図５には、３個のグラフがグラフ表示領域（５１a、５１ｂ、５１ｃ）に表示され、それぞれのグラフにグラフ操作領域（５２a、５２ｂ、５２ｃ）とグラフリンク領域（５６a、５６ｂ、５６ｃ）が設けられている。それぞれの動作は、図３のグラフ作成例を用いて説明と同じである。
【００４９】
つまり、グラフ表示領域５１aに表示されるグラフは、グラフ操作領域５２aの指定時間領域５３aの時間データを用いて作成されている。また、操作ボタン５４a、５５aは、指定時間領域５３aのプラス操作とマイナス操作を行なえる。グラフリンク領域５６aは、電子画面上でボタン（グラフ連動ボタン）に成っており、ＧＵＩを用いて操作可能である。そして、メモリテーブルのグラフ連動状態領域４０４と連動しており、操作されるごとに有効／無効と変化する。
【００５０】
グラフ表示領域５１ｂ及びグラフ表示領域５１ｃに表示されるグラフも、グラフ表示領域５１aと同様であり、グラフ操作領域（５２ｂ、５２ｃ）によって操作可能である。また、グラフリンク領域（５６ｂ、５６ｃ）は、操作によって有効／無効と変化する。
【００５１】
図６（a）及び（ｂ）、図７（ａ）及び（ｂ）は、専用プログラムのグラフ操作機能の動作を説明する為、動作例として示すメモリテーブルである。
【００５２】
この動作例は、図５に示した３個のグラフをすべてほぼ同時に更新する場合である。つまり、３個のグラフの指定日付を一括して操作する場合である。
【００５３】
メモリテーブルが図６（ａ）で示される状態のときは、表示画面にグラフが３個表示され、上からグラフ１、グラフ２、グラフ３と表示される。そして、グラフ１は2007／1／29の気温を示すグラフである。またこのグラフのグラフ連動機能は有効に成っている。グラフ１と同様にグラフ２及び３もそれぞれの日付のグラフを表示し、グラフ連動機能は有効に成っている。
【００５４】
この状態で、操作者がグラフ１から３を所望の日付である2007／1／30に一括変更したいと考えたとき、操作者は入力部２４０を用いて、グラフ１の指定時間領域５３aに2007／1／30を直接入力するか、または操作ボタン５４aを選択する。このことは、別の表現で記載すると、専用プログラムが備えた、条件指定機能を用いて、グラフ１の日付情報（作成条件）を操作（指定）することに当たる。
【００５５】
情報処理装置２００の制御部２１０は、入力部２４０を用いて当該領域が操作されたことを認識し、メモリテーブルのグラフ１のグラフ横軸情報領域４０２の日付情報を2007／1／30に上書き記録する。そして、グラフ横軸情報領域４０２が上書き記録されたことを認識し、グラフ1を2007／1／30の情報に書き換える。このことは、別の表現で記載すると、専用プログラムが備えた、グラフ作成機能を用いて、グラフ１を再作成することに当たる。
【００５６】
情報処理装置２００の制御部２１０は、メモリテーブルのグラフ連動状態領域４０４が有効か無効かを判断し、無効ならば、処理を終了し、有効ならばグラフ２のグラフ連動状態領域４０４の状態が有効か無効かを判断する。グラフ２のグラフ連動状態領域４０４は有効であるので、グラフ２のグラフ横軸情報領域４０２に、グラフ１と同じ日付を上書き記録する。そして、制御部２１０は、グラフ横軸情報領域４０２が上書き記録されたことを認識し、グラフ２を2007／1／30の情報に再作成する。このことは、別の表現で記載すると、専用プログラムが備えた、グラフ操作機能が、グラフ２の条件指定機能を操作し、グラフ作成機能を用いて、グラフ２を再作成したことに当たる。
【００５７】
グラフ２を再作成した後、グラフ３のグラフ連動状態領域４０４の状態を有効か無効か判断する。グラフ３のグラフ連動状態領域４０４は有効であるので、グラフ３のグラフ横軸情報領域４０２に、グラフ１と同じ日付を上書き記録する。そして、制御部２１０は、グラフ横軸情報領域４０２が上書き記録されたことを認識し、グラフ３を2007／1／30の情報に再作成する。このことは、別の表現で記載すると、専用プログラムが備えた、グラフ操作機能が、グラフ３の条件指定機能を操作し、グラフ作成機能を用いて、グラフ３を再作成したことに当たる。
【００５８】
この様にして、３個のグラフを全て、ほぼ同時に同じ指定日付に更新する。また、別の表現で記載すると、複数のグラフの作成条件をほぼ同時に操作するといえる。図６（ｂ）は、一括して操作した後のメモリテーブルである。（ａ）と（ｂ）を比較すると、グラフ１ないし３のグラフ横軸情報領域４０２の情報が全て2007／1／30に変化していることがわかる。
【００５９】
本動作例ではグラフが３個であるので、グラフ３を再作成した後は、終了する。もしも、表示するグラフが５個であったなら、グラフ５まで同じ動作を繰り返す。
【００６０】
次に、別の動作例を示し、グラフ連動状態領域４０４に無効があった場合を説明する。
【００６１】
使用者がグラフ１とグラフ３を連動させて操作させるとき、グラフ２のグラフリンク領域５６ｂを操作し、有効から無効に変更する。
【００６２】
図７（a）はグラフ２のグラフリンク領域５６ｂが無効になったときのメモリテーブルである。図７（a）は図６（a）に示したメモリテーブルとほぼ同じであるが、グラフ２のグラフ連動状態領域４０４が無効に成っている点で異なる。つまり、グラフ１とグラフ３のグラフ連動機能は有効であり、グラフ２のグラフ連動機能が無効である。
【００６３】
この場合の動作は、次の様になる。操作者が入力部２４０を用いてグラフ１の操作を行い、日付情報を2007／1／30に変更すると、情報処理装置２００の制御部２１０は、メモリテーブルのグラフ１のグラフ横軸情報領域４０２の日付情報を2007／1／30に上書きする。そして、制御部２１０は、グラフ横軸情報領域４０２が上書きされたことを認識し、グラフ1を2007／1／30の情報に書き換える。
【００６４】
情報処理装置２００の制御部２１０は、メモリテーブルのグラフ１のグラフ連動状態領域４０４が有効か無効かを判断する。そして、有効であるので、グラフ２のグラフ連動状態領域４０４の状態を有効か無効か判断する。グラフ２のグラフ連動状態領域４０４は無効であるので、何もせず、次のグラフであるグラフ３のグラフ連動状態領域４０４の状態を判断する。
【００６５】
グラフ３のグラフ連動状態領域４０４は有効であるので、グラフ横軸情報領域４０２に、グラフ１と同じ日付を上書き記録する。そして、制御部２１０は、グラフ横軸情報領域４０２が上書き記録されたことを認識し、グラフ３を2007／1／30の情報に再作成する。つまり、グラフ連動状態領域４０４が無効なグラフは変更せず、有効なグラフは変更する。
【００６６】
この様にして、使用者がグラフ１とグラフ３を連動させて操作したいとき、グラフ１とグラフ３を連動させて操作できる。また、別の表現では、任意のグラフを選択し、関連させることで、グラフをほぼ同時に操作可能にできる。
【００６７】
図７（ｂ）は、一括して操作した後のメモリテーブルである。（ａ）と（ｂ）を比較すると、グラフ１と３のグラフ横軸情報領域４０２の情報が2007／1／30に変化しており、グラフ２の情報には変化が無いことがわかる。
【００６８】
次に本実施の一形態において実行される専用プログラムの動作を示すフローチャートを用いて、グラフ操作機能の説明を行なう。
【００６９】
図８は、グラフ操作機能の動作の流れを示したフローチャートである。
【００７０】
尚、グラフ操作機能が有する、グラフ連動状態領域に示されるグラフ連動ボタンの操作により、グラフ連動状態が有効／無効と変化する動作のフローチャートによる説明は、省略する。
【００７１】
情報処理装置２００の制御部２１０は、使用者によって、標示装置３００の電子画面上に表示されたグラフ操作領域の指定時間領域（日付情報：時間情報）を変更されたかを常時確認する。変更されたことを認識した場合には次ステップに進む（ステップＳ８０１）。
【００７２】
制御部２１０は、メモリテーブルの操作されたグラフ番号が示す横軸情報領域４０２を変更された日付情報に上書きする（ステップＳ８０２）。
【００７３】
制御部２１０は、メモリテーブルのグラフ縦軸情報領域４０３と横軸情報領域４０２とが示すデータをデータベースシステム５００から取得する（ステップＳ８０３）。
【００７４】
制御部２１０は、取得したデータとグラフ作成機能を用いてグラフを作成し、表示する（ステップＳ８０４）。
【００７５】
制御部２１０は、グラフNo領域４０１からグラフの総数を認識し、他のグラフがある場合にグラフ操作機能を使用する。他にグラフが無い場合には終了する（ステップＳ８０５）。
【００７６】
制御部２１０は、変更されたグラフのグラフ連動状態領域４０４を参照し、グラフ連動機能が有効か判断する。有効の場合には次ステップに進み、無効の場合には終了する（ステップＳ８０６）。
【００７７】
制御部２１０は、次グラフのグラフ連動状態領域４０４を参照し、グラフ連動機能が有効か判断する。有効の場合には次ステップに進み、無効の場合にはステップＳ８１１に進む（ステップＳ８０７）。
【００７８】
制御部２１０は、メモリテーブルの次グラフの横軸情報領域４０２をステップＳ８０１で入力された時間情報に上書きする（ステップＳ８０８）。
【００７９】
制御部２１０は、メモリテーブルのグラフ縦軸情報領域４０３と横軸情報領域４０２とが示すデータをデータベースシステム５００から取得する（ステップＳ８０９）。
【００８０】
制御部２１０は、取得したデータとグラフ作成機能を用いてグラフを作成し、表示する（ステップＳ８１０）。
【００８１】
制御部２１０は、グラフNo領域４０１で認識したグラフの総数をと、グラフ連動状態領域４０４を参照したグラフ数とを比較し、全てのグラフについてグラフ連動操作の処理が終了した場合は終了する。まだ未処理のグラフがある場合には、ステップＳ８０７に戻り、グラフ連動操作の処理を続ける（ステップＳ８１１）。
【００８２】
このようにして、グラフ操作機能は、グラフをグラフ連動操作できる。
【００８３】
さらに、グラフ操作機能を備えた専用プログラムは、複数のグラフから任意のグラフを選択し、関連させ、グラフの指定時間をほぼ同時に操作できる。つまり、複数のグラフを、容易な操作で変更できる。
【００８４】
同じく、前述の専用プログラムを備えた情報処理装置は、表示装置に表示される複数のグラフから任意のグラフを選択し、関連させ、グラフの指定時間を一括して操作可能とできる。つまり、情報処理装置に表示された複数のグラフを、容易な操作で変更できる。
【００８５】
同じく、前述の専用プログラムを備えた情報処理装置を用いることで、特定日の気温グラフと消費電力グラフを比較することも容易にできる。このときは、気温グラフと消費電力グラフとをグラフ１とグラフ２に設定し、両グラフのグラフ連動ボタンを有効にし、グラフ１又はグラフ２の日付情報に特定日を入力すれば良い。換言すれば、表示装置に表示される複数のグラフから任意のグラフを選択し、関連させ、操作することで、任意のグラフと別の任意のグラフとを比較することが容易にできると言える。
【００８６】
また、メモリテーブルのグラフ横軸領域情報４０２は日付情報に限定する必要は無い。日付情報以外の動作例としては、予め理想的な情報をデータベース５００に登録し、その理想データを示す値（例えば、『理想グラフ』の文字列）を割振る。この様にした後、グラフ横軸領域情報４０２に、『理想グラフ』を入力し、グラフ連動ボタンを無効にすれば、複数の情報を理想データと比較できる。換言すれば、表示装置に表示される複数のグラフから任意のグラフを選択し、関連させ、操作することで、任意のグラフと理想のグラフとを比較することを容易とできると言える。
【００８７】
尚、上述した複数の例は、全てグラフの横軸を連動させる例である。しかし、本発明は横軸に限定するものではない。縦軸を連動させても良いし、グラフを３Ｄグラフとすれば奥行き軸を連動させても良い。そのときは適時メモリテーブルの連動させたい軸の情報を用いて操作すれば良い。
【００８８】
また、上述した複数の例は、全てメモリテーブルの特定の領域を一括して上書可能とする例である。しかし、本発明はメモリテーブルの上書に限定するものではない。例えばグラフ操作機能に、特定の領域情報をインクリメントやデクリメントする機能を付加しても良い。この場合を図４のメモリテーブルを用いて説明すると、グラフ横軸領域情報４０２を操作可能とするインクリメント機能とデクリメント機能を表示画面上に表示させる。そして、インクリメント機能が操作された場合には、グラフ操作機能がグラフ連動状態領域４０４を判断し、グラフ横軸領域情報４０２の情報をインクリメントすれば良い。同じく、デクリメント機能が操作された場合には、グラフ操作機能がグラフ連動状態領域４０４を判断し、グラフ横軸領域情報４０２の情報をデクリメントすれば良い。他の例としては、＋７（１週間分）や直接ＭＭ（月）情報、ＹＹ（年）情報を書換え可能とする機能を付加しても良い。つまり、グラフ操作機能は、特定の領域情報を連動して変更可能とできればそれで良く、上述の例に限定されるものではない。
【００８９】
以上説明したように、本発明によれば、電子画面に表示されるグラフを容易に所望のグラフに変更できる設備監視装置、情報処理装置及びプログラムを提供できる。
【００９０】
尚、図１において例示した設備は、電気設備に限ることは無い。エネルギーを温水や冷水、温風などを利用して伝達する設備であっても良い。更に言えば、情報収集可能であればどの様な設備でも良い。また、データベースシステム５００も、情報処理装置２００の機能を利用して実現しても良い。この場合は、情報処理装置２００が有するＨＤＤ２６０に様々な情報を蓄積することとすればそれで良い。
【図面の簡単な説明】
【００９１】
【図１】実施の一形態を示す概略図である。
【図２】設備監視装置２のシステム構成を示すブロック図である。
【図３】グラフ作成機能によって作成されるグラフの作成例である。
【図４】記憶内容を模式的に表したメモリテーブルである。
【図５】実施の一形態の画面表示例である。
【図６】動作例として示すメモリテーブルである。
【図７】動作例として示すメモリテーブルである。
【図８】グラフ操作機能の動作の流れを示したフローチャートである。
【符号の説明】
【００９２】
１  大規模空調システム
２  設備監視装置
２００  情報処理装置
３００  表示装置
５００  データベースシステム
５１０〜５ｎｎ  設備機器
７００  ネットワーク
７５０  通信線網
【図１】
2008282221.tif 000003
【図２】
2008282221.tif 000004
【図３】
2008282221.tif 000005
【図４】
2008282221.tif 000006
【図５】
2008282221.tif 000007
【図６】
2008282221.tif 000008
【図７】
2008282221.tif 000009
【図８】
2008282221.tif 000010